(57)【要約】    【課題】侵入者に発見され難いネットワーク型監視装置のＬＥＤ表示方法を提供すること。    【解決手段】カメラによって取得した監視データをネットワークを介して配信するネットワーク型監視装置100において用いるＬＥＤ102の表示方法であって、監視装置100を通常動作の状態にするか調整／動作確認の状態にするかを電源スイッチ101によって選択し、通常動作の状態を選択した場合にＬＥＤ102を消灯し、調整／動作確認の状態を選択した場合にＬＥＤ102を点灯又は点滅させる。【選択図】  図１
2005094280.tif 000002
【特許請求の範囲】
【請求項１】
カメラによって取得した監視データをネットワークを介して配信するネットワーク型監視装置において用いるＬＥＤの表示方法であって、上記監視装置を通常動作の状態にするか調整／動作確認の状態にするかを選択し、通常動作の状態を選択した場合に上記ＬＥＤを消灯し、調整／動作確認の状態を選択した場合に上記ＬＥＤを点灯又は点滅させることを特徴とするＬＥＤ表示方法。
【発明の詳細な説明】
【技術分野】
【０００１】
本発明は、カメラからの監視データを配信、蓄積して侵入物体の監視や定点観測などを行なう監視装置における機器動作中の表示方法に関する。
【背景技術】
【０００２】
遠隔地や多地点、無人店舗等において、カメラを用いて侵入物体を監視し或いは定点観測を行なう監視装置を中央に設置したクライアント機器にネットワークで結び、中央で全体監視を行なう監視システムが交通、店舗、セキュリティ等に幅広く用いられている。カメラからの画像・音声信号は、監視装置において圧縮符号化され、監視データとなってクライアント機器に配信される。クライアント機器は、当該データを受信し、復号化することによって元の映像や音声を出力する。
【０００３】
更に、監視装置に設けた記憶装置に監視データ（映像・音声等）を蓄積するとともに、監視装置に外部センサを設け、侵入者の存在を外部センサが検知したときにネットワーク上のクライアント機器に対してアラーム情報を発報し、蓄積した監視データを直ちに送出するシステムを構築することがある。
【０００４】
このような監視装置やそれに接続されるカメラ等には、電源のＯＮ／ＯＦＦや動作状態を示すための表示、例えば一般的にはＬＥＤ表示がなされる。
【０００５】
なお、上記従来技術は、発明者が既に知られていることと認識して記述したものであるが、適切な文献が見出せなかったので、先行技術文献情報の記載をしていない。
【発明の開示】
【発明が解決しようとする課題】
【０００６】
上記監視装置は、夜間の無人施設に対して監視を行なうことが多く、そのような環境で、ＬＥＤが点灯（点滅）をしていると、侵入者に容易に発見される恐れがある。
【０００７】
本発明の目的は、侵入者に発見され難いネットワーク型監視装置のＬＥＤ表示方法を提供することにある。
【課題を解決するための手段】
【０００８】
上記目的を達成するための本発明のネットワーク型監視装置のＬＥＤ表示方法は、カメラによって取得した監視データをネットワークを介して配信するネットワーク型監視装置において用いるＬＥＤの表示方法であって、上記監視装置を通常動作の状態にするか調整／動作確認の状態にするかを選択し、通常動作の状態を選択した場合に上記ＬＥＤを消灯し、調整／動作確認の状態を選択した場合に上記ＬＥＤを点灯又は点滅させることを特徴とする。
【発明の効果】
【０００９】
本発明によれば、監視装置の通常動作中にＬＥＤを消灯することにより、監視装置を侵入者に発見され難くする。
【発明を実施するための最良の形態】
【００１０】
以下、本発明に係るネットワーク型監視装置のＬＥＤ表示方法を図面に示した実施の形態を参照して更に詳細に説明する。
【００１１】
まず、本発明のＬＥＤ表示方法を実施する監視装置の例を図１に示す。図１において、100は監視装置、101は、「電源ＯＦＦ」、「調整／動作確認」、「電源ＯＮ」の３つの状態を有するキー操作の電源スイッチ、102は、各種ユニットの動作の状態等を示すＬＥＤ群である。各ＬＥＤはユニットの動作に応じて点灯又は点滅を行なう。例えば、電源が入っている場合や、ネットワークとの接続が確立されている場合や、所定の通信モードが動作している場合等に、対応するＬＥＤが点灯又は点滅を行なう。
【００１２】
図２にＬＥＤ群102の点灯を制御する回路構成例を示す。ＬＥＤ群102は、ＣＰＵ（中央処理装置）103と３ステートバッファ群104を介して接続されており、ＣＰＵ103によって制御され、点灯（点滅）／消灯を行なう。ＬＥＤ群102及び３ステートバッファ群104により、ＬＥＤ制御回路110が構成される。
【００１３】
ＣＰＵ103は、３ステートバッファ群104を制御する制御電圧105を、電源スイッチ101が「電源ＯＮ」の状態のときにＨ（High）レベルにし、「調整／動作確認」の状態のときにＬ（Low）レベルにする。
【００１４】
３ステートバッファ群104は、ＣＰＵ103からの制御電圧105がＬレベルのときＣＰＵ103の出力状態をそのままＬＥＤ群102に伝える。ＣＰＵ103の出力状態がＬレベルのとき、電源Ｖｃｃに抵抗Ｒを介して接続されているＬＥＤに電流が流れ、ＬＥＤは点灯する。出力状態がＬレベルとＨレベルを交互に繰返すとき、ＬＥＤの電流がＯＮ、ＯＦＦを繰返し、ＬＥＤは点滅する。
【００１５】
３ステートバッファ群104は、ＣＰＵ103からの制御電圧105がＨレベルのときＨレベルを出力する。これにより、ＬＥＤ群102に電流が流れず、ＬＥＤ群102は一斉に消灯する。
【００１６】
なお、ＬＥＤ群102の点灯／消灯を制御する素子は、３ステートバッファに限らず、制御電圧105によってＯＮ／ＯＦＦが制御されるスイッチにすることが可能である。スイッチには、例えばゲートに制御電圧が供給されるＭＯＳ（Metal Oxide Semiconductor）スイッチがある。
【００１７】
また、監視装置100に接続され、監視装置100の一部となるカメラにもＬＥＤ表示が行なわれる場合がある。この場合にも、図２に類似した回路をカメラに設置し、制御電圧105を監視装置100のＣＰＵ103から供給する。このようにして、カメラの通常動作中にＬＥＤを消灯することにより、カメラを侵入者に発見され難くする。
【００１８】
ここで、監視装置100の構成の一例を図３に示す。ＣＰＵ103は、バス201を介して接続されている各ユニットを制御してエンコーダ機器の機能を実現する。
【００１９】
エンコーダ202は、カメラ（図示しない）からの画像信号の圧縮符号化処理を行なう画像エンコーダ203とマイク（図示しない）からの音声信号を圧縮符号化処理を行なう音声エンコーダ204とからなり、圧縮符号化した画像データ・音声データを監視データとして出力する。なお、映像信号、音声信号の圧縮方式は、ＪＰＥＧ方式やＭＰＥＧ方式などの任意の圧縮方式を採用可能である。
【００２０】
メモリ205には、監視装置100のプログラムが実行可能な状態で格納され、逐次読み出されて実行される。更に、メモリ205には、カメラからの配信中の監視データが同時に一時的に記憶される。
【００２１】
カメラ制御部206は、接続されているカメラの制御を行なう。
【００２２】
ＬＥＤ制御回路110はＣＰＵ103からの制御により、ＬＥＤ群102の点灯／消灯を行なう。
【００２３】
ネットワーク制御部207は、ネットワーク211のプロトコルを認識し、ネットワーク211とのデータ送受信を行なう。ネットワーク211は、インターネットやＬＡＮ（Local Area Network）などである。なお、本実施形態では、監視データやその他の情報はパケット化され、データパケットとなって配信される。図示していないが、クライアント機器がネットワーク211に接続される。
【００２４】
記録装置208は、外部センサの信号に連動し、アラーム発報時に監視データ（映像・音声）の記録を行なう。更に、監視装置100において扱う各種情報を格納する。また、ＣＰＵ103の要求により、蓄積した監視データや情報を選択的に読み出すことができる。記録装置208としては、ランダムアクセスが可能なハードディスク装置やＤＶＤ（Digital Versatile Disc）装置、ＣＤ（Compact Disc）装置等が採用可能である。なお、監視データの記録のタイミングは、アラーム発報時のみに限らず、一定時間間隔で記録することも可能である。
【００２５】
入出力装置209は、多数の接点端子等を持つコネクタであり、カメラの制御やセンサからの信号の入力に用いられる。
【００２６】
シリアル通信制御部210は、シリアル伝送の制御を行ない、CPU103からの指示に従って、接続されたシリアル機器（モデム等）の制御を行なう。
【００２７】
電源部111は、電源スイッチ101のキー位置を認識し、「調整／動作確認」、「電源ＯＮ」の状態を区別して示す電源信号をＣＰＵ103に供給する。
【００２８】
上記構成の監視装置100において行なわれるＬＥＤ表示処理のフローを図４に示す。電源スイッチ101が操作され（300）、キーの位置が「電源ＯＮ」になった場合には（301）、ＣＰＵ103から３ステートバッファ群104に対してＨレベルの制御電圧105を加え（302）、ＬＥＤ群102を消灯し（303）、通常動作の状態とする（304）。ステップ301で「電源ＯＮ」になっていない場合（即ち、「調整／動作確認」の場合）には、ＣＰＵ103から３ステートバッファ群104に対してＬレベルの制御電圧105を加え（305）、ＬＥＤ群102を点灯/点滅させ（306）、調整／動作確認の状態とする（307）。
【００２９】
以上により、監視装置が通常動作中にＬＥＤは消灯状態になり、監視装置やカメラが監視場所において侵入者に発見され難くなる。
【００３０】
なお、「調整／動作確認」のモード（状態）では、通常の「ＬＥＤ点灯のモード」でＬＥＤが動作するので、機器の動作状態を確認することができる。
【００３１】
上記では、本発明を監視装置やカメラに適用した例を説明したが、本発明は、それらに限らず、センサや制御装置など、ＬＥＤ表示を持った機器一般に適用可能であることは云うまでもない。
【００３２】
なお、上述した実施の形態では、「調整／動作確認」、「電源ＯＮ」状態におけるＬＥＤ表示を点灯（点滅）と消灯とのより区別した場合について説明したが、他の例として、ＬＥＤの発光量を増減させたり、発光色を変えたりするような構成とすることも可能である。
【００３３】
また、「電源ＯＦＦ」、「調整／動作確認」、「電源ＯＮ」の３つの状態の切り替えは、電源スイッチ101によるオペレータの手動切り替えの他、例えば、監視装置100とネットワークを介して接続される端末装置から遠隔操作により、切り替え動作を行なうことも可能である。
【図面の簡単な説明】
【００３４】
【図１】本発明に係るネットワーク型監視装置のＬＥＤ表示方法を実施する監視装置の例を説明するための構成図。
【図２】本発明のネットワーク型監視装置のＬＥＤ表示方法の実施形態を説明するための回路図。
【図３】図１の監視装置を説明するための構成図。
【図４】本発明のネットワーク型監視装置のＬＥＤ表示方法の実施形態を説明するためのフローチャート。
【符号の説明】
【００３５】
100…監視装置、101…電源スイッチ、102…ＬＥＤ群、103…ＣＰＵ、104…３ステートバッファ群、105…制御電圧、110…ＬＥＤ制御回路、111…電源部。
【図１】
2005094280.tif 000003
【図２】
2005094280.tif 000004
【図３】
2005094280.tif 000005
【図４】
2005094280.tif 000006